(57)【特許請求の範囲】
【請求項１】
ラックと、廃棄物処理装置と、制御システムとを備える環境に配慮した医療機関専用の医療廃棄物処理装置であって、
前記廃棄物処理装置は、並設された少なくとも３つの異なるタイプ廃棄物処理ボックスを備え、前記廃棄物処理ボックス側に設置され、各廃棄物処理ボックスの上方に延出される供給コンベアベルトを有し、前記供給コンベアベルトは、モータによって駆動され、前記各廃棄物処理ボックスは、廃棄物ラベル識別手段と、廃棄物パッケージを前記廃棄物処理ボックスに押し込む押圧手段と、自動封止手段とが配置され、前記廃棄物処理ボックスの頂部に投入口が設置され、前記廃棄物処理ボックスの底部に排出口が設置され、前記投入口に前記投入口の自動制御手段が設置され、前記排出口に前記排出口の自動制御手段が設置され、前記各廃棄物処理ボックスの底部にある排出口の下方にそれぞれサブコンベアベルトが設置され、各サブコンベアベルトの近隣に１つの主コンベアベルトが設置され、前記供給コンベアベルトの前記モータの制御端子と、前記廃棄物ラベル識別手段と、前記押圧手段と、前記自動封止手段と、前記投入口の自動制御手段と、前記排出口の自動制御手段と、がすべて前記制御システムの中央制御装置に接続されており、
前記各廃棄物ボックスは、高温、高圧、粉砕、分解処理ボックスであり、前記廃棄物処理ボックスの中に高温高圧蒸気の処理装置と、高速粉砕機とが設置され、前記各廃棄物処理ボックスからの排気管は１つの本排気管と連通されており、
前記各サブコンベアベルトに圧力センサが設置され、前記圧力センサの信号出力端子が前記中央制御装置に接続されており、
前記廃棄物処理ボックスは、織物や紙やプラスチックの混合類の医療廃棄物ボックスと、ガラス類の医療廃棄物ボックスと、金属類の医療廃棄物ボックスと、病理や化学や薬品類の医療廃棄物ボックスと、を含むことを特徴とする環境に配慮した医療機関専用の医療廃棄物処理装置。
【請求項２】
前記供給コンベアベルトの開始端の近傍に前記廃棄物パッケージの処理前のスキャンや記憶手段が設置されることを特徴とする請求項１に記載の環境に配慮した医療機関専用の医療廃棄物処理装置。
【請求項３】
請求項２に記載のラックと、廃棄物処理装置と、制御システムとを備える環境に配慮した医療機関専用の医療廃棄物処理装置の処理方法であって、
まず、医療廃棄物を分類して廃棄物パッケージを梱包させ、前記廃棄物パッケージに分類ラベルを貼り付け、その後、処理予定の前記廃棄物パッケージを前記供給コンベアベルトに置き、前記供給コンベアベルトによって前記廃棄物パッケージを前記廃棄物処理ボックスの上方に送り、前記廃棄物ラベル識別手段によって前記供給コンベアベルトにおける前記廃棄物パッケージをスキャンして識別させ、前記中央制御装置はスキャン識別結果によってどの前記廃棄物処理ボックスで処理するかを判定し、相応の前記押圧手段を駆動して前記廃棄物パッケージに対応する前記廃棄物処理ボックスに押し込み、前記中央制御装置は相応の高温、高圧、粉砕手段で分解処理を行い、前記廃棄物処理ボックスは処理した廃棄物を排出口から下方のパッケージに排出させ、前記圧力センサによって自動的に計量した後、前記自動封止手段によって前記パッケージが封止され、前記サブコンベアベルトによって前記主コンベアベルトに輸送して送り出されることを特徴とする環境に配慮した医療機関専用の医療廃棄物処理装置の処理方法。
【請求項４】
前記廃棄物ラベル識別手段によって前記廃棄物パッケージをスキャンした後、データ統計のため、前記廃棄物パッケージの種類、数量を含むスキャン結果は前記中央制御装置に格納され、前記廃棄物パッケージを処理した後の廃棄物自動計量の結果も前記中央制御装置に格納されることを特徴とする請求項３に記載の環境に配慮した医療機関専用の医療廃棄物処理装置の処理方法。
【発明の詳細な説明】
【技術分野】
【０００１】
本発明は、廃棄物処理装置及び方法の技術分野に属し、具体的には、環境に配慮した医療機関専用の医療廃棄物処理装置及び方法に関する。
【背景技術】
【０００２】
医療廃棄物やごみは、医療機関の治療、予防、ケア及びその他の医療活動によって生成され、直接または間接的な感染性、毒性のある廃棄物及びその他有害な廃棄物を指す。医療廃棄物は、一般的に感染性の廃棄物、病理学的な廃棄物、損傷による廃棄物、薬物の廃棄物、化学的な廃棄物に分けられている。毎日中国で約１８８０〜２８００トンの医療廃棄物が発生し、毎日郡レベル以上の都市で１３８０〜２０６０トン発生されている。
【０００３】
現在、既に石家荘、瀋陽、広州、杭州、福州、南京、蘇州、南寧、西寧の都市で医療廃棄物の集中的に処理が行われており、北京、天津、上海、深セン、長沙等の都市でも処理施設の建設を計画されている。サーズ（SARS）の後、政府は有害廃棄物（特に医療廃棄物）の処分を重点として取り組み、各地域や人口の多い郡レベルの機関は、２年以内に集中処理施設を建設完了する計画である。
【０００４】
先行技術の主要な医療廃棄物の処理技術には、衛生的な埋立法、高圧蒸気殺菌法（オートクレーブ）、化学的な消毒法、電磁波殺菌法、高温焼却法（ロータリーキルン、熱分解焼却炉、火格子炉、および新プラズマ法など）がある。 
【０００５】
現在、各主要な処理技術には以下のような欠点や問題点がある。
【０００６】
１．衛生的な埋立法について、将来大きな災害が生じ、有害物質の漏洩によって環境汚染を引き起こす可能性が高い。
【０００７】
２．高温高圧蒸気滅菌法について、低レベル放射性の廃棄物、有機溶剤、化学療法による廃棄物、薬理や病理的な廃棄物を処理することができず、処理規模が小さく、処理後の廃棄物の安全上の問題がある。 
【０００８】
３．機械的/化学的消毒法について、二次汚染が発生しやすく、消毒の効果を保証し難く、揮発性有機化合物、化学薬剤、水銀や放射性廃棄物を処理することができず、処理プロセスで塩素が使用されるので、有る程度の危険性を有し、且つ生成された有毒廃棄液物は、複雑な処理を介して排出され得る。;
【０００９】
４．電磁波滅菌法について、この方法は病理的な廃棄物処理には適していない。
【００１０】
５．高温焼却法について、二次汚染物質を生成しやすく、自然界にないダイオキシンを発生させてしまう。
【００１１】
６．プラズマ法（高温焼却新プロセス）について、プロセスはより複雑で、投資コストは通常の焼却よりも３倍高くなり、現在、まだ厳格な基準、仕様が形成されておらず、操作に対する要求が高く、大規模な応用には時間が掛かる。
【００１２】
現在、病院などの医療機関は、一般的に小型燃焼ボイラ焼却を使用して医療廃棄物を焼却するが、医療機関専用の非燃焼法を用いた、環境に配慮した医療廃棄物処理装置が不足している。如何なる医療機関でも使用できる専用の、環境に配慮した医療廃棄物処理装置及び方法を設計し、二次汚染を防ぎ、廃棄物パッケージを自動的に識別分類し、自動梱包し、廃棄物の再利用を実現できるようにすることが解決すべき技術的課題である。
【発明の概要】
【発明が解決しようとする課題】
【００１３】
本発明は、従来技術の上記の課題に対処するために、環境に配慮した医療機関専用の医療廃棄物処理装置及び方法を提供することで、二次汚染を防ぎ、廃棄物パッケージを自動的に識別分類し、分類処理を行い、自動梱包することができ、また、廃棄物の再利用を可能にする。
【課題を解決するための手段】
【００１４】
本発明の目的は、以下の技術的解決手段により達成される。
【００１５】
ラックと、廃棄物処理装置と、制御システムとを備える環境に配慮した医療機関専用の医療廃棄物処理装置であり、前記廃棄物処理装置は、並設された少なくとも３つの異なるタイプ廃棄物処理ボックスを備え、前記廃棄物処理ボックス側に設置され、各廃棄物処理ボックスの上方に延出される供給コンベアベルトを有し、前記コンベアベルトは、モータによって駆動され、各廃棄物処理ボックスは、廃棄物ラベル識別手段と、廃棄物パッケージを廃棄物処理ボックスに押し込む押圧手段と、自動封止手段とが配置され、前記廃棄物処理ボックスの頂部に投入口が設置され、廃棄物処理ボックスの底部に排出口が設置され、前記投入口に投入口自動制御手段が設置され、前記排出口に排出口の自動制御手段が設置され、前記各廃棄物処理ボックスの底部の排出口の下方にそれぞれサブコンベアベルトが設置され、各サブコンベアベルトの近隣に１つの主コンベアベルトが設置され、前記供給コンベアベルトの前記モータの制御端子と、廃棄物ラベル識別手段と、押圧手段と、自動封止手段と、前記投入口の自動制御手段と、前記排出口の自動制御手段とはすべて前記制御システムの中央制御装置に接続されている。
【００１６】
上記の技術的解決手段をさらに改良し、前記各廃棄物ボックスは、高温、高圧、粉砕、分解処理ボックスであり、前記廃棄物処理ボックスの中に高温高圧蒸気の処理装置と、高速粉砕機とが設置され、各廃棄物処理ボックスからの排気管は１つの本排気管と連通されている。
【００１７】
上記の技術的解決手段をさらに改良し、前記サブコンベアベルトに圧力センサが設置され、前記圧力センサの信号出力端子が中央制御装置に接続されている。
【００１８】
上記の技術的解決手段をさらに改良し、前記廃棄物処理ボックスは、織物や紙やプラスチックの混合類の医療廃棄物ボックスと、ガラス類の医療廃棄物ボックスと、金属類の医療廃棄物ボックスと、病理や化学や薬品類の医療廃棄物ボックスと、を含む。
【００１９】
上記の技術的解決手段をさらに改良し、前記供給コンベアベルトの開始端の近傍に廃棄物パッケージの処理前のスキャンや記憶手段が設置される。
【００２０】
環境に配慮した医療機関専用の医療廃棄物処理装置の処理方法であり、まず、医療廃棄物を分類して廃棄物パッケージを梱包させ、廃棄物パッケージに分類ラベルを貼り付け、その後、処理予定の廃棄物パッケージを供給コンベアベルトに置き、供給コンベアベルトによって廃棄物パッケージを廃棄物処理ボックスの上方に送り、廃棄物ラベル識別手段によって供給コンベアベルトにおける廃棄物パッケージをスキャンして識別させ、中央制御装置はスキャン識別結果によってどの廃棄物処理ボックスで処理するかを判定し、相応の押圧手段を駆動して廃棄物パッケージに対応する廃棄物処理ボックスに押し込み、中央制御装置は相応の高温、高圧、粉砕手段で分解処理を行い、廃棄物処理ボックスは処理した廃棄物を排出口から下方のパッケージに排出させ、圧力センサによって自動的に計量した後、自動封止手段によってパッケージが封止され、サブコンベアベルトによって主コンベアベルトに輸送して送り出される。
【００２１】
上記の技術的解決手段をさらに改良し、廃棄物ラベル識別手段によって廃棄物パッケージをスキャンした後、データ統計のため、廃棄物パッケージの種類、数量を含むスキャン結果は中央制御装置に格納され、廃棄物パッケージを処理した後の廃棄物自動計量の結果も中央制御装置に格納される。
【発明の効果】
【００２２】
本発明の環境に配慮した医療機関専用の医療廃棄物処理装置は、燃焼方式によって二次汚染を防ぎ、ダイオキシンの発生を防ぐことができる。
【００２３】
本発明は、廃棄物パッケージを自動識別し、分類処理を行い、自動梱包を行うことができる。
【００２４】
本発明は、廃棄物の分類処理を行った後、収集した一部分の廃棄物は廃物の再利用を可能にする。
【図面の簡単な説明】
【００２５】
【図１】本発明の環境に配慮した医療機関専用の医療廃棄物処理装置の斜視図である。
【発明を実施するための形態】
【００２６】
次に、図面と併せて本発明をさらに詳細に説明する。
【００２７】
図１に示すように、本発明に係るララックと、廃棄物処理装置と、制御システムとを備える環境に配慮した医療機関専用の医療廃棄物処理装置の実施形態であり、前記廃棄物処理装置は、並設された５つの異なるタイプ廃棄物処理ボックスを備え、前記廃棄物処理ボックス側に設置され、各廃棄物処理ボックスの上方に延出される供給コンベアベルト１を有する。供給コンベアベルト１はモータによって駆動され、各廃棄物処理ボックスには、廃棄物ラベル識別手段６と、廃棄物パッケージ２を廃棄物処理ボックスに押し込む押圧手段５と、自動封止手段１３とが配置される。廃棄物処理ボックスの頂部に投入口が設置され、廃棄物処理ボックスの底部に排出口が設置され、前記投入口に投入口自動制御手段が設置され、前記排出口に排出口の自動制御手段が設置され、前記各廃棄物処理ボックスの底部の排出口の下方にそれぞれサブコンベアベルト１６が設置され、各サブコンベアベルト１６の近隣に１つの主コンベアベルト１７が設置されている。
【００２８】
前記モータの制御端子と、廃棄物ラベル識別手段６と、押圧手段５と、自動封止手段１３と、前記投入口の自動制御手段と、前記排出口の自動制御手段とはすべて前記制御システムの中央制御装置に接続されている。
【００２９】
具体的には、前記各廃棄物ボックスは、高温、高圧、粉砕、分解処理ボックスであり、前記廃棄物処理ボックスの中に高温高圧蒸気の処理装置と、高速粉砕機とが設置され、各廃棄物処理ボックスからの排気管は１つの本排気管１２と連通されている。前記サブコンベアベルト１６に圧力センサ１５が設置され、前記圧力センサ１６の信号出力端子が中央制御装置に接続されている。
【００３０】
前記廃棄物処理ボックスは、織物や紙やプラスチックの混合類の医療廃棄物ボックス７と、ガラス類の医療廃棄物ボックス８と、金属類の医療廃棄物ボックス９と、病理学や化学や薬品類の医療廃棄物ボックス１０と、他の類の医療廃棄物ボックス１１と、を含む。
【００３１】
処理廃棄物の情報を記録や保存するため、供給コンベアベルト１の開始端の近傍に廃棄物パッケージの処理前のスキャンや記憶手段３が設置される。
【００３２】
使用する際、本発明の環境に配慮した医療機関専用の医療廃棄物処理装置が対騒音の処理工場４の中に取り付けられ、本排気管１２の一端は対騒音の処理工場４の屋根から延出する。
【００３３】
本発明の環境に配慮した医療機関専用の医療廃棄物処理装置の処理方法の実施形態は、以下のステップを含む。
【００３４】
まず、医療廃棄物を分類して廃棄物パッケージ２を梱包させ、廃棄物パッケージ２に分類ラベルを貼り付け、その後、処理予定の廃棄物パッケージ２を供給コンベアベルト１に置き、供給コンベアベルト１によって廃棄物パッケージ２を廃棄物処理ボックスの上方に送り、廃棄物ラベル識別手段６によって供給コンベアベルト１における廃棄物パッケージ２をスキャンして識別させ、中央制御装置はスキャン識別結果によってどの廃棄物処理ボックスで処理するかを判定し、相応の押圧手段５を駆動して廃棄物パッケージ２を対応する廃棄物処理ボックスに押し込み、中央制御装置は相応の高温、高圧、粉砕手段で分解処理を行い、廃棄物処理ボックスは処理した廃棄物を排出口から下方のパッケージ１４に排出させ、圧力センサ１５によって自動的に計量した後、自動封止手段１３によってパッケージ１４が封止され、サブコンベアベルト１６によって主コンベアベルト１７に輸出して送り出される。
【００３５】
廃棄物ラベル識別手段６によって廃棄物パッケージをスキャンする前、廃棄物パッケージの処理前のスキャンや記憶手段３によって廃棄物パッケージ２をスキャンした後、データ統計のため、廃棄物パッケージ２の種類、数量を含むスキャン結果は前記中央制御装置に格納され、廃棄物パッケージ２を処理した後の廃棄物自動計量の結果も中央制御装置に格納される。
【００３６】
本発明は、医療放射性物質の処理を含まず、一般的には、医療設備、機器、部品、電池の処理を含んでいない。
【００３７】
もちろん、上記の説明は本発明を限定するものではなく、本発明は上記の実施形態に限定されず、当業者は、本発明の実質の範囲内で変更、改良、追加または置換を行っても、依然として本発明の保護範囲に属すると見なされるべきである。
【図１】
0006438633.tif 000002